(57)【特許請求の範囲】
【請求項１】
記録媒体の１面を複数の領域に分割した場合の前記領域への縮小画像の印刷である集約印刷を実行可能である印刷デバイスと、
未印刷の前記領域のパターンである未印刷領域パターン毎に前記記録媒体を収納する複数の媒体収納部と、
前記印刷デバイスを制御する印刷制御手段とを備えており、
前記印刷デバイスは、前記記録媒体の両面への印刷である両面印刷を実行可能であり、
前記未印刷領域パターンは、前記記録媒体の両面における未印刷の前記領域のパターンであり、
前記印刷制御手段は、前記集約印刷が指定された印刷データに基づいた印刷を前記印刷デバイスに実行させる場合、この印刷データに基づいた未印刷の画像の枚数に応じた前記媒体収納部から前記記録媒体を前記印刷デバイスに取得させ、この記録媒体の未印刷の前記領域に前記未印刷の画像の縮小画像を前記印刷デバイスに印刷させ、
前記枚数に応じた前記媒体収納部は、前記枚数が前記記録媒体における全ての前記領域の数より少なく前記記録媒体の１面における全ての前記領域の数と異なるとき、未印刷の前記領域の数が前記枚数と同じである前記未印刷領域パターンに対応する前記媒体収納部であり、
前記印刷制御手段は、前記記録媒体における前記未印刷の画像が印刷されない前記領域に、前記記録媒体のうち不要な部分であることを示す不要部分画像を前記印刷デバイスに印刷させる場合、前記記録媒体への印刷方法として前記両面印刷を選択するとともに、前記印刷デバイスによって印刷される画像をページ順に並べた未印刷画像データにおいて、前記記録媒体毎に、前記未印刷の画像の直後に、必要な枚数の前記不要部分画像を追加することを特徴とする画像形成装置。
【請求項２】
前記複数の領域は、２つの領域であり、
前記記録媒体には、
前記未印刷領域パターンのうち、両面の全ての前記領域が未印刷の前記領域であるパターンの４／４媒体と、
前記未印刷領域パターンのうち、表面の全ての前記領域および裏面の一方の前記領域が未印刷の前記領域であって裏面の他方の前記領域が印刷済みの前記領域であるパターンの３／４媒体と、
前記未印刷領域パターンのうち、表面の全ての前記領域が未印刷の前記領域であって裏面の全ての前記領域が印刷済みの領域であるパターンの２／４媒体と、
前記未印刷領域パターンのうち、表面の一方の前記領域が未印刷の前記領域であって裏面の少なくとも一方の前記領域および表面の他方の前記領域が印刷済みの前記領域であるパターンの１／４媒体とが存在し、
前記印刷制御手段は、前記集約印刷が指定された印刷データに基づいた印刷を前記印刷デバイスに実行させる場合、前記未印刷画像データにおいて前記４／４媒体に対して４枚の前記未印刷の画像の直後に前記不要部分画像を追加せず、前記未印刷画像データにおいて前記３／４媒体に対して３枚の前記未印刷の画像の直後に１枚分の前記不要部分画像を追加し、前記未印刷画像データにおいて前記２／４媒体に対して２枚の前記未印刷の画像の直後に２枚分の前記不要部分画像を追加し、前記未印刷画像データにおいて前記１／４媒体に対して１枚の前記未印刷の画像の直後に３枚分の前記不要部分画像を追加し、
前記印刷制御手段は、前記集約印刷が指定さていない印刷データに基づいた印刷を前記印刷デバイスに実行させる場合、前記未印刷画像データにおいて前記４／４媒体に対して２枚の前記未印刷の画像の直後に前記不要部分画像を追加せず、前記未印刷画像データにおいて前記２／４媒体に対して１枚の前記未印刷の画像の直後に１枚分の前記不要部分画像を追加することを特徴とする請求項１に記載の画像形成装置。
【請求項３】
情報を表示する表示部と、
利用者の地球環境への貢献度を管理する環境貢献度管理手段と、
前記環境貢献度管理手段によって管理されている前記貢献度を前記表示部に表示させる環境貢献度表示手段とを備えており、
前記環境貢献度管理手段は、
前記記録媒体における印刷済みの前記領域を含む面のうち未印刷の前記領域への前記未印刷の画像の縮小画像の印刷の実行に対して、
両面の全ての前記領域が未印刷の前記領域である前記記録媒体の消費を抑えた枚数と、
印刷された前記記録媒体の前記未印刷領域パターンに対応した定数との合計の数だけ前記貢献度を向上させることを特徴とする請求項１または請求項２に記載の画像形成装置。
【請求項４】
前記複数の領域は、２つの領域であり、
前記記録媒体には、
前記未印刷領域パターンのうち、両面の全ての前記領域が未印刷の前記領域であるパターンの４／４媒体と、
前記未印刷領域パターンのうち、表面の全ての前記領域および裏面の一方の前記領域が未印刷の前記領域であって裏面の他方の前記領域が印刷済みの前記領域であるパターンの３／４媒体と、
前記未印刷領域パターンのうち、表面の全ての前記領域が未印刷の前記領域であって裏面の全ての前記領域が印刷済みの領域であるパターンの２／４媒体と、
前記未印刷領域パターンのうち、表面の一方の前記領域が未印刷の前記領域であって裏面の少なくとも一方の前記領域および表面の他方の前記領域が印刷済みの前記領域であるパターンの１／４媒体とが存在し、
前記３／４媒体に対応した前記定数は、２であり、
前記２／４媒体に対応した前記定数は、１であり、
前記１／４媒体に対応した前記定数は、３であることを特徴とする請求項３に記載の画像形成装置。
【請求項５】
情報を表示する表示部と、
利用者の地球環境への貢献度を管理する環境貢献度管理手段と、
前記環境貢献度管理手段によって管理されている前記貢献度を前記表示部に表示させる環境貢献度表示手段とを備えており、
前記環境貢献度管理手段は、前記記録媒体における印刷済みの前記領域を含む面のうち未印刷の前記領域への前記未印刷の画像の縮小画像の印刷の実行に対して、前記貢献度を向上させることを特徴とする請求項１または請求項２に記載の画像形成装置。
【請求項６】
記録媒体の１面を複数の領域に分割した場合の前記領域への縮小画像の印刷である集約印刷を実行可能である印刷デバイスと、
未印刷の前記領域のパターンである未印刷領域パターン毎に前記記録媒体を収納する複数の媒体収納部と、
前記印刷デバイスを制御する印刷制御手段と、
情報を表示する表示部と、
利用者の地球環境への貢献度を管理する環境貢献度管理手段と、
前記環境貢献度管理手段によって管理されている前記貢献度を前記表示部に表示させる環境貢献度表示手段とを備えており、
前記印刷制御手段は、前記集約印刷が指定された印刷データに基づいた印刷を前記印刷デバイスに実行させる場合、この印刷データに基づいた未印刷の画像の枚数に応じた前記媒体収納部から前記記録媒体を前記印刷デバイスに取得させ、この記録媒体の未印刷の前記領域に前記未印刷の画像の縮小画像を前記印刷デバイスに印刷させ、
前記枚数に応じた前記媒体収納部は、前記枚数が前記記録媒体における全ての前記領域の数より少なく前記記録媒体の１面における全ての前記領域の数と異なるとき、未印刷の前記領域の数が前記枚数と同じである前記未印刷領域パターンに対応する前記媒体収納部であり、
前記環境貢献度管理手段は、
前記記録媒体における印刷済みの前記領域を含む面のうち未印刷の前記領域への前記未印刷の画像の縮小画像の印刷の実行に対して、
両面の全ての前記領域が未印刷の前記領域である前記記録媒体の消費を抑えた枚数と、
印刷された前記記録媒体の前記未印刷領域パターンに対応した定数との合計の数だけ前記貢献度を向上させ、
前記複数の領域は、２つの領域であり、
前記記録媒体には、
前記未印刷領域パターンのうち、両面の全ての前記領域が未印刷の前記領域であるパターンの４／４媒体と、
前記未印刷領域パターンのうち、表面の全ての前記領域および裏面の一方の前記領域が未印刷の前記領域であって裏面の他方の前記領域が印刷済みの前記領域であるパターンの３／４媒体と、
前記未印刷領域パターンのうち、表面の全ての前記領域が未印刷の前記領域であって裏面の全ての前記領域が印刷済みの領域であるパターンの２／４媒体と、
前記未印刷領域パターンのうち、表面の一方の前記領域が未印刷の前記領域であって裏面の少なくとも一方の前記領域および表面の他方の前記領域が印刷済みの前記領域であるパターンの１／４媒体とが存在し、
前記３／４媒体に対応した前記定数は、２であり、
前記２／４媒体に対応した前記定数は、１であり、
前記１／４媒体に対応した前記定数は、３であることを特徴とする画像形成装置。
【請求項７】
前記印刷制御手段は、前記記録媒体における前記未印刷の画像の縮小画像が印刷される面のうち前記未印刷の画像が印刷されない前記領域に、不要な部分であることを示す画像を前記印刷デバイスに印刷させることを特徴とする請求項６に記載の画像形成装置。
【請求項８】
前記印刷制御手段は、前記記録媒体における前記未印刷の画像の縮小画像が印刷されない面に、不要な部分であることを示す画像を前記印刷デバイスに印刷させることを特徴とする請求項６または請求項７に記載の画像形成装置。
【請求項９】
前記印刷デバイスは、前記記録媒体の両面への印刷である両面印刷を実行可能であり、
前記未印刷領域パターンは、前記記録媒体の両面における未印刷の前記領域のパターンであり、
前記枚数に応じた前記媒体収納部は、前記集約印刷および前記両面印刷の両方が指定された印刷データに基づいた印刷を前記印刷制御手段が前記印刷デバイスに実行させる場合、前記枚数が前記記録媒体の両面における全ての前記領域の数より少なく前記記録媒体の１面における全ての前記領域の数と異なるとき、未印刷の前記領域の数が前記枚数と同じである前記未印刷領域パターンに対応する前記媒体収納部であることを特徴とする請求項１から請求項８までの何れかに記載の画像形成装置。
【請求項１０】
前記複数の領域は、２つの領域であることを特徴とする請求項１から請求項９までの何れかに記載の画像形成装置。
【発明の詳細な説明】
【技術分野】
【０００１】
本発明は、一部が印刷済みである記録媒体を再利用することができる画像形成装置に関する。
【背景技術】
【０００２】
従来、一部が印刷済みである記録媒体を再利用することによって、両面が未印刷である記録媒体を節約することができる画像形成装置が知られている（例えば、特許文献１、２参照。）。
【０００３】
特許文献１に記載された画像形成装置は、記録媒体の両面への印刷である両面印刷を実行する場合、印刷データに基づいた画像の枚数が奇数であるときに、一方の面が未印刷であって他方の面が印刷済みである記録媒体の一方の面に最終ページの画像を印刷するものである。
【０００４】
特許文献２に記載された画像形成装置は、記録媒体の１面を２つの領域に分割した場合のその領域への縮小画像の印刷である集約印刷を実行する場合、一方の面が未印刷であって他方の面が印刷済みである記録媒体の一方の面に集約印刷を実行するものである。
【先行技術文献】
【特許文献】
【０００５】
【特許文献１】特開２００８−１８０９２６号公報
【特許文献２】特開２００４−２４６２８３号公報
【発明の概要】
【発明が解決しようとする課題】
【０００６】
一部が印刷済みである記録媒体の中には、印刷済みの面の一部分が未印刷であるものが存在する。しかしながら、特許文献１または特許文献２に記載された画像形成装置は、記録媒体のうち一部分が未印刷である印刷済みの面が活用できないので、記録媒体の節約の効率が十分ではない。
【０００７】
そこで、本発明は、記録媒体の節約の効率を従来より向上することができる画像形成装置を提供することを目的とする。
【課題を解決するための手段】
【０００８】
本発明の画像形成装置は、記録媒体の１面を複数の領域に分割した場合の前記領域への縮小画像の印刷である集約印刷を実行可能である印刷デバイスと、未印刷の前記領域のパターンである未印刷領域パターン毎に前記記録媒体を収納する複数の媒体収納部と、前記印刷デバイスを制御する印刷制御手段とを備えており、前記印刷制御手段は、前記集約印刷が指定された印刷データに基づいた印刷を前記印刷デバイスに実行させる場合、この印刷データに基づいた未印刷の画像の枚数に応じた前記媒体収納部から前記記録媒体を前記印刷デバイスに取得させ、この記録媒体の未印刷の前記領域に前記未印刷の画像の縮小画像を前記印刷デバイスに印刷させ、前記枚数に応じた前記媒体収納部は、前記枚数が前記記録媒体における全ての前記領域の数より少なく前記記録媒体の１面における全ての前記領域の数と異なるとき、未印刷の前記領域の数が前記枚数と同じである前記未印刷領域パターンに対応する前記媒体収納部であることを特徴とする。
【０００９】
この構成により、本発明の画像形成装置は、集約印刷が指定された印刷データに基づいた印刷を実行する場合、この印刷データに基づいた未印刷の画像の枚数に応じて、記録媒体のうち一部の領域が未印刷である印刷済みの面の未印刷の領域に縮小画像を印刷することができるので、記録媒体の節約の効率を従来より向上することができる。
【００１０】
また、本発明の画像形成装置の前記印刷デバイスは、前記記録媒体の両面への印刷である両面印刷を実行可能であり、前記未印刷領域パターンは、前記記録媒体の両面における未印刷の前記領域のパターンであり、前記枚数に応じた前記媒体収納部は、前記集約印刷および前記両面印刷の両方が指定された印刷データに基づいた印刷を前記印刷制御手段が前記印刷デバイスに実行させる場合、前記枚数が前記記録媒体の両面における全ての前記領域の数より少なく前記記録媒体の１面における全ての前記領域の数と異なるとき、未印刷の前記領域の数が前記枚数と同じである前記未印刷領域パターンに対応する前記媒体収納部であっても良い。
【００１１】
この構成により、本発明の画像形成装置は、集約印刷および両面印刷の両方が指定された印刷データに基づいた印刷を実行する場合、表面の一部の領域が未印刷である記録媒体の表面の未印刷の領域に縮小画像を印刷することができるだけでなく、表面の全ての領域および裏面の一部の領域が未印刷である記録媒体の全ての未印刷の領域に縮小画像を印刷することができるので、記録媒体の節約の効率を更に向上することができる。
【００１２】
また、本発明の画像形成装置の前記印刷制御手段は、前記記録媒体における前記未印刷の画像の縮小画像が印刷される面のうち前記未印刷の画像が印刷されない前記領域に、不要な部分であることを示す画像を前記印刷デバイスに印刷させても良い。
【００１３】
この構成により、本発明の画像形成装置は、記録媒体における縮小画像が印刷される面において、縮小画像が印刷されない領域を不要な部分として明示するので、印刷した縮小画像を利用者に容易に認識させることができる。
【００１４】
また、本発明の画像形成装置の前記印刷制御手段は、前記記録媒体における前記未印刷の画像の縮小画像が印刷されない面に、不要な部分であることを示す画像を前記印刷デバイスに印刷させても良い。
【００１５】
この構成により、本発明の画像形成装置は、記録媒体における縮小画像が印刷されない面を不要な部分として明示するので、縮小画像を印刷した面を利用者に容易に認識させることができる。
【００１６】
また、本発明の画像形成装置は、情報を表示する表示部と、利用者の地球環境への貢献度を管理する環境貢献度管理手段と、前記環境貢献度管理手段によって管理されている前記貢献度を前記表示部に表示させる環境貢献度表示手段とを備えており、前記環境貢献度管理手段は、前記記録媒体における印刷済みの前記領域を含む面のうち未印刷の前記領域への前記未印刷の画像の縮小画像の印刷の実行に対して、前記貢献度を向上させても良い。
【００１７】
この構成により、本発明の画像形成装置は、記録媒体における印刷済みの領域を含む面のうち未印刷の領域への縮小画像の印刷によって地球環境に貢献したことを、利用者に認識させることができる。したがって、本発明の画像形成装置は、記録媒体の節約を利用者に意識させることができる。
【００１８】
また、本発明の画像形成装置の前記複数の領域は、２つの領域であっても良い。
【００１９】
この構成により、本発明の画像形成装置は、１面を４つの領域に分割した記録媒体の未印刷領域パターン毎に記録媒体を収納する複数の媒体収納部を備えている構成と比較して、媒体収納部の数が半分で済むので、小型化することができる。
【発明の効果】
【００２０】
本発明の画像形成装置は、記録媒体の節約の効率を従来より向上することができる。
【図面の簡単な説明】
【００２１】
【図１】本発明の一実施の形態に係るＭＦＰの構成図である。
【図２】図１に示すＭＦＰのブロック図である。
【図３】図１に示す給紙カセットに収納される記録媒体のパターンを示す図である。
【図４】印刷を実行する場合の図２に示す制御部の動作のフローチャートである。
【図５】図４に示す片面通常印刷処理のフローチャートである。
【図６】図５に示す印刷実行処理のフローチャートである。
【図７】図４に示す明示有節約片面通常印刷処理のフローチャートである。
【図８】図４に示す明示無節約片面通常印刷処理のフローチャートである。
【図９】図４に示す両面通常印刷処理のフローチャートである。
【図１０】図４に示す明示有節約両面通常印刷処理のフローチャートである。
【図１１】図４に示す明示無節約両面通常印刷処理のフローチャートである。
【図１２】図４に示す片面集約印刷処理のフローチャートである。
【図１３】図４に示す明示有節約片面集約印刷処理のフローチャートである。
【図１４】図４に示す明示無節約片面集約印刷処理のフローチャートである。
【図１５】図４に示す両面集約印刷処理のフローチャートである。
【図１６】図４に示す明示有節約両面集約印刷処理のフローチャートである。
【図１７】図４に示す明示無節約両面集約印刷処理のフローチャートである。
【図１８】不要部分画像が印刷された図３に示す記録媒体を示す図である。
【発明を実施するための形態】
【００２２】
以下、本発明の一実施の形態について、図面を用いて説明する。
【００２３】
まず、本実施の形態に係る画像形成装置であるＭＦＰ（Ｍｕｌｔｉｆｕｎｃｔｉｏｎ  Ｐｅｒｉｐｈｅｒａｌ）の構成について説明する。
【００２４】
図１は、本実施の形態に係るＭＦＰ１０の構成図である。図２は、ＭＦＰ１０のブロック図である。
【００２５】
図１および図２に示すように、ＭＦＰ１０は、利用者による種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、用紙などのＡ４サイズの記録媒体１０ａを収納する給紙カセット１３ａ、１３ｂ、１３ｃ、１３ｄと、給紙カセット１３ａ〜１３ｄの何れかから供給される記録媒体１０ａに画像を印刷する印刷デバイスであるプリンター１４と、プリンター１４によって画像が印刷された記録媒体１０ａの排出先である排紙トレイ１５と、原稿から画像を読み取る読取デバイスであるスキャナー１６と、公衆電話回線などの通信回線経由でファックス通信を行うファックスデバイスであるファックス通信部１７と、ＬＡＮ（Ｌｏｃａｌ  Ａｒｅａ  Ｎｅｔｗｏｒｋ）、インターネットなどのネットワーク経由で通信を行うネットワーク通信デバイスであるネットワーク通信部１８と、プログラムなどの各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部２０と、ＭＦＰ１０全体を制御する制御部３０とを備えている。
【００２６】
プリンター１４は、記録媒体１０ａの１面を均等な２つの領域に分割した場合のその領域への縮小画像の印刷である２ＵＰ集約印刷と、記録媒体１０ａの両面への印刷である両面印刷とを実行可能である。
【００２７】
記憶部２０は、利用者の地球環境への貢献度２１と、記録媒体１０ａの消費を抑えた印刷（以下「節約印刷」と言う。）を実行するか否かの設定である節約印刷設定２２と、節約印刷を実行する場合に記録媒体１０ａのうち不要な部分を明示するか否かの設定である不要部分明示設定２３とを記憶している。
【００２８】
制御部３０は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２０に記憶されているプログラムを実行するようになっている。
【００２９】
制御部３０は、記憶部２０に記憶されているプログラムを実行することによって、プリンター１４を制御する印刷制御手段３１、貢献度２１を管理する環境貢献度管理手段３２、および、環境貢献度管理手段３２によって管理されている貢献度２１を表示部１２に表示させる環境貢献度表示手段３３として機能する。
【００３０】
図３は、給紙カセット１３ａ〜１３ｄに収納される記録媒体１０ａのパターンを示す図である。
【００３１】
図３において、裏面の欄には、表面の欄に描かれている記憶媒体１０ａの図中の短辺を軸にして裏返した記録媒体１０ａが描かれている。
【００３２】
図３に示すように、給紙カセット１３ａ〜１３ｄは、記録媒体１０ａの両面の均等な２つずつの領域のうち未印刷の領域のパターン毎に記録媒体１０ａを収納するための給紙カセットである。
【００３３】
給紙カセット１３ａは、両面の全領域が未印刷の領域であるパターンの記録媒体１０ａである４／４媒体を収納するための給紙カセットである。利用者は、給紙カセット１３ａに４／４媒体のみを収納させる必要がある。
【００３４】
給紙カセット１３ｂは、表面の全領域および裏面の一方の領域が未印刷の領域であって裏面の他方の領域が印刷済みの領域であるパターンの記録媒体１０ａである３／４媒体を収納するための給紙カセットである。利用者は、給紙カセット１３ｂに３／４媒体のみを収納させる必要がある。利用者は、給紙カセット１３ｂに３／４媒体を収納させる場合、給紙カセット１３ｂに対して３／４媒体の表裏および向きを予め定められた状態にする必要がある。したがって、給紙カセット１３ｂに複数の３／４媒体が収納されている場合、それらの複数の３／４媒体は、表裏および向きが図３に示す状態で互いに揃えられている。
【００３５】
給紙カセット１３ｃは、表面の全領域が未印刷の領域であって裏面の全領域が印刷済みの領域であるパターンの記録媒体１０ａである２／４媒体を収納するための給紙カセットである。利用者は、給紙カセット１３ｃに２／４媒体のみを収納させる必要がある。利用者は、給紙カセット１３ｃに２／４媒体を収納させる場合、給紙カセット１３ｃに対して２／４媒体の表裏を予め定められた状態にする必要がある。したがって、給紙カセット１３ｃに複数の２／４媒体が収納されている場合、それらの複数の２／４媒体は、表裏が図３に示す状態で互いに揃えられている。
【００３６】
給紙カセット１３ｄは、表面の一方の領域が未印刷の領域であって裏面の少なくとも一方の領域および表面の他方の領域が印刷済みの領域であるパターンの記録媒体１０ａである１／４媒体を収納するための給紙カセットである。１／４媒体は、図３に示すように、表面の一方の領域と、表面の他方の領域の裏面の領域とが未印刷の領域であって、表面の他方の領域と、表面の一方の領域の裏面の領域とが印刷済みの領域である記録媒体１０ａと、表面の一方の領域と、表面の一方の領域の裏面の領域とが未印刷の領域であって、表面の他方の領域と、表面の他方の領域の裏面の領域とが印刷済みの領域である記録媒体１０ａと、表面の一方の領域が未印刷の領域であって、表面の他方の領域と、裏面の全領域とが印刷済みの領域である記録媒体１０ａとの３種類存在する。しかしながら、これらの３種類の１／４媒体は、表面の一方の領域が未印刷の領域であって裏面の少なくとも一方の領域および表面の他方の領域が印刷済みの領域であるという観点で、ＭＦＰ１０において未印刷の領域のパターンとして同一のパターンに分類されている。利用者は、給紙カセット１３ｄに１／４媒体のみを収納させる必要がある。利用者は、給紙カセット１３ｄに１／４媒体を収納させる場合、給紙カセット１３ｄに対して１／４媒体の表裏および向きを予め定められた状態にする必要がある。したがって、給紙カセット１３ｄに複数の１／４媒体が収納されている場合、それらの複数の１／４媒体は、表裏および向きが図３に示す状態で互いに揃えられている。
【００３７】
次に、ＭＦＰ１０の動作について説明する。
【００３８】
ＭＦＰ１０の制御部３０は、処理すべき印刷データが存在する場合、図４に示す動作を実行する。
【００３９】
なお、制御部３０が処理する印刷データとしては、例えば、ＭＦＰ１０のコピーの動作においてスキャナー１６によって原稿から読み取られた画像に基づいて制御部３０自身が生成した印刷データ、ファックス通信部１７によってＦＡＸ受信されたＦＡＸデータに基づいて制御部３０自身が生成した印刷データ、ＰＣ（Ｐｅｒｓｏｎａｌ  Ｃｏｍｐｕｔｅｒ）などの外部の装置からネットワーク通信部１８によって受信された印刷データなどがある。
【００４０】
図４は、印刷を実行する場合の制御部３０の動作のフローチャートである。
【００４１】
図４に示すように、制御部３０の印刷制御手段３１は、印刷データにおいて２ＵＰ集約印刷が指定されているか否かを判断する（Ｓ１０１）。
【００４２】
印刷制御手段３１は、２ＵＰ集約印刷が指定されていないとＳ１０１において判断すると、印刷データにおいて両面印刷が指定されているか否かを判断する（Ｓ１０２）。
【００４３】
印刷制御手段３１は、両面印刷が指定されていないとＳ１０２において判断すると、記憶部２０上の節約印刷設定２２において節約印刷を実行することが設定されているか否かを判断する（Ｓ１０３）。
【００４４】
印刷制御手段３１は、節約印刷を実行することが設定されていないとＳ１０３において判断すると、集約印刷、両面印刷および節約印刷の何れも実行しない印刷の処理である片面通常印刷処理を実行する（Ｓ１０４）。
【００４５】
印刷制御手段３１は、節約印刷を実行することが設定されているとＳ１０３において判断すると、記憶部２０上の不要部分明示設定２３において記録媒体１０ａのうち不要な部分を明示することが設定されているか否かを判断する（Ｓ１０５）。
【００４６】
印刷制御手段３１は、記録媒体１０ａのうち不要な部分を明示することが設定されているとＳ１０５において判断すると、記録媒体１０ａのうち不要な部分を明示して集約印刷、両面印刷および節約印刷のうち節約印刷のみを実行する印刷の処理である明示有節約片面通常印刷処理を実行する（Ｓ１０６）。
【００４７】
印刷制御手段３１は、記録媒体１０ａのうち不要な部分を明示することが設定されていないとＳ１０５において判断すると、記録媒体１０ａのうち不要な部分を明示せずに集約印刷、両面印刷および節約印刷のうち節約印刷のみを実行する印刷の処理である明示無節約片面通常印刷処理を実行する（Ｓ１０７）。
【００４８】
印刷制御手段３１は、両面印刷が指定されているとＳ１０２において判断すると、記憶部２０上の節約印刷設定２２において節約印刷を実行することが設定されているか否かを判断する（Ｓ１０８）。
【００４９】
印刷制御手段３１は、節約印刷を実行することが設定されていないとＳ１０８において判断すると、集約印刷、両面印刷および節約印刷のうち両面印刷のみを実行する印刷の処理である両面通常印刷処理を実行する（Ｓ１０９）。
【００５０】
印刷制御手段３１は、節約印刷を実行することが設定されているとＳ１０８において判断すると、記憶部２０上の不要部分明示設定２３において記録媒体１０ａのうち不要な部分を明示することが設定されているか否かを判断する（Ｓ１１０）。
【００５１】
印刷制御手段３１は、記録媒体１０ａのうち不要な部分を明示することが設定されているとＳ１１０において判断すると、記録媒体１０ａのうち不要な部分を明示して集約印刷、両面印刷および節約印刷のうち両面印刷および節約印刷のみを実行する印刷の処理である明示有節約両面通常印刷処理を実行する（Ｓ１１１）。
【００５２】
印刷制御手段３１は、記録媒体１０ａのうち不要な部分を明示することが設定されていないとＳ１１０において判断すると、記録媒体１０ａのうち不要な部分を明示せずに集約印刷、両面印刷および節約印刷のうち両面印刷および節約印刷のみを実行する印刷の処理である明示無節約両面通常印刷処理を実行する（Ｓ１１２）。
【００５３】
印刷制御手段３１は、２ＵＰ集約印刷が指定されているとＳ１０１において判断すると、印刷データにおいて両面印刷が指定されているか否かを判断する（Ｓ１１３）。
【００５４】
印刷制御手段３１は、両面印刷が指定されていないとＳ１１３において判断すると、記憶部２０上の節約印刷設定２２において節約印刷を実行することが設定されているか否かを判断する（Ｓ１１４）。
【００５５】
印刷制御手段３１は、節約印刷を実行することが設定されていないとＳ１１４において判断すると、集約印刷、両面印刷および節約印刷のうち集約印刷のみを実行する印刷の処理である片面集約印刷処理を実行する（Ｓ１１５）。
【００５６】
印刷制御手段３１は、節約印刷を実行することが設定されているとＳ１１４において判断すると、記憶部２０上の不要部分明示設定２３において記録媒体１０ａのうち不要な部分を明示することが設定されているか否かを判断する（Ｓ１１６）。
【００５７】
印刷制御手段３１は、記録媒体１０ａのうち不要な部分を明示することが設定されているとＳ１１６において判断すると、記録媒体１０ａのうち不要な部分を明示して集約印刷、両面印刷および節約印刷のうち集約印刷および節約印刷のみを実行する印刷の処理である明示有節約片面集約印刷処理を実行する（Ｓ１１７）。
【００５８】
印刷制御手段３１は、記録媒体１０ａのうち不要な部分を明示することが設定されていないとＳ１１６において判断すると、記録媒体１０ａのうち不要な部分を明示せずに集約印刷、両面印刷および節約印刷のうち集約印刷および節約印刷のみを実行する印刷の処理である明示無節約片面集約印刷処理を実行する（Ｓ１１８）。
【００５９】
印刷制御手段３１は、両面印刷が指定されているとＳ１１３において判断すると、記憶部２０上の節約印刷設定２２において節約印刷を実行することが設定されているか否かを判断する（Ｓ１１９）。
【００６０】
印刷制御手段３１は、節約印刷を実行することが設定されていないとＳ１１９において判断すると、集約印刷、両面印刷および節約印刷のうち集約印刷および両面印刷のみを実行する印刷の処理である両面集約印刷処理を実行する（Ｓ１２０）。
【００６１】
印刷制御手段３１は、節約印刷を実行することが設定されているとＳ１１９において判断すると、記憶部２０上の不要部分明示設定２３において記録媒体１０ａのうち不要な部分を明示することが設定されているか否かを判断する（Ｓ１２１）。
【００６２】
印刷制御手段３１は、記録媒体１０ａのうち不要な部分を明示することが設定されているとＳ１２１において判断すると、記録媒体１０ａのうち不要な部分を明示して集約印刷、両面印刷および節約印刷の何れも実行する印刷の処理である明示有節約両面集約印刷処理を実行する（Ｓ１２２）。
【００６３】
印刷制御手段３１は、記録媒体１０ａのうち不要な部分を明示することが設定されていないとＳ１２１において判断すると、記録媒体１０ａのうち不要な部分を明示せずに集約印刷、両面印刷および節約印刷の何れも実行する印刷の処理である明示無節約両面集約印刷処理を実行する（Ｓ１２３）。
【００６４】
印刷制御手段３１は、Ｓ１０４、Ｓ１０６、Ｓ１０７、Ｓ１０９、Ｓ１１１、Ｓ１１２、Ｓ１１５、Ｓ１１７、Ｓ１１８、Ｓ１２０、Ｓ１２２またはＳ１２３の処理を実行すると、図４に示す処理を終了する。
【００６５】
図５は、図４に示す片面通常印刷処理のフローチャートである。
【００６６】
図５に示すように、印刷制御手段３１は、印刷データに基づいた全枚数の画像をページ順に並べたデータを未印刷画像データとして保持する（Ｓ１３１）。
【００６７】
次いで、印刷制御手段３１は、印刷データに基づいた画像の枚数を変数Ｎに代入する（Ｓ１３２）。
【００６８】
次いで、印刷制御手段３１は、プリンター１４への記録媒体１０ａの供給元として４／４媒体用の給紙カセット１３ａを選択する（Ｓ１３３）。
【００６９】
次いで、印刷制御手段３１は、記録媒体１０ａへの印刷方法として片面印刷を選択する（Ｓ１３４）。
【００７０】
次いで、印刷制御手段３１は、変数Ｎが０より大きいか否かを判断する（Ｓ１３５）。
【００７１】
印刷制御手段３１は、変数Ｎが０より大きいとＳ１３５において判断すると、記録媒体１０ａへの画像の印刷を実行する処理である印刷実行処理を実行する（Ｓ１３６）。
【００７２】
次いで、印刷制御手段３１は、Ｓ１３５の処理に戻る。
【００７３】
印刷制御手段３１は、変数Ｎが０以下であるとＳ１３５において判断すると、図５に示す処理を終了する。
【００７４】
図６は、図５に示す印刷実行処理のフローチャートである。
【００７５】
図６に示すように、印刷制御手段３１は、現在選択中の給紙カセットから記録媒体１０ａをプリンター１４によって取り込む（Ｓ１４１）。
【００７６】
次いで、印刷制御手段３１は、印刷データにおいて２ＵＰ集約印刷が指定されているか否かを判断する（Ｓ１４２）。
【００７７】
印刷制御手段３１は、２ＵＰ集約印刷が指定されていないとＳ１４２において判断すると、未印刷画像データのうち先頭の１枚分の画像を、Ｓ１４１においてプリンター１４に取り込んだ記録媒体１０ａの表面にプリンター１４によって印刷する（Ｓ１４３）。
【００７８】
次いで、印刷制御手段３１は、未印刷画像データのうちＳ１４３において印刷した先頭の１枚分の画像を削除する（Ｓ１４４）。
【００７９】
次いで、印刷制御手段３１は、変数Ｎを１減算する（Ｓ１４５）。
【００８０】
印刷制御手段３１は、２ＵＰ集約印刷が指定されているとＳ１４２において判断すると、未印刷画像データのうち先頭の２枚分の画像を、Ｓ１４１においてプリンター１４に取り込んだ記録媒体１０ａの表面にプリンター１４によって集約印刷する（Ｓ１４６）。すなわち、印刷制御手段３１は、未印刷画像データのうち先頭の２枚の画像を縮小した後、未印刷画像データのうち前から１枚目の画像の縮小画像を記録媒体１０ａの表面の２つの領域のうち図３における左側の領域に、未印刷画像データのうち前から２枚目の画像の縮小画像を記録媒体１０ａの表面の２つの領域のうち図３における右側の領域に、それぞれプリンター１４によって印刷する。
【００８１】
次いで、印刷制御手段３１は、未印刷画像データのうちＳ１４６において印刷した先頭の２枚分の画像を削除する（Ｓ１４７）。
【００８２】
次いで、印刷制御手段３１は、変数Ｎを２減算する（Ｓ１４８）。
【００８３】
印刷制御手段３１は、Ｓ１４５またはＳ１４８の処理を実行すると、現在選択中の印刷方法を確認する（Ｓ１４９）。
【００８４】
印刷制御手段３１は、現在選択中の印刷方法が両面印刷であるとＳ１４９において判断すると、印刷データにおいて２ＵＰ集約印刷が指定されているか否かを判断する（Ｓ１５０）。
【００８５】
印刷制御手段３１は、２ＵＰ集約印刷が指定されていないとＳ１５０において判断すると、未印刷画像データのうち先頭の１枚分の画像を、Ｓ１４１においてプリンター１４に取り込んだ記録媒体１０ａの裏面にプリンター１４によって印刷する（Ｓ１５１）。
【００８６】
次いで、印刷制御手段３１は、未印刷画像データのうちＳ１５１において印刷した先頭の１枚分の画像を削除する（Ｓ１５２）。
【００８７】
次いで、印刷制御手段３１は、変数Ｎを１減算する（Ｓ１５３）。
【００８８】
印刷制御手段３１は、２ＵＰ集約印刷が指定されているとＳ１５０において判断すると、未印刷画像データのうち先頭の２枚分の画像を、Ｓ１４１においてプリンター１４に取り込んだ記録媒体１０ａの裏面にプリンター１４によって集約印刷する（Ｓ１５４）。すなわち、印刷制御手段３１は、未印刷画像データのうち先頭の２枚の画像を縮小した後、未印刷画像データのうち前から１枚目の画像の縮小画像を記録媒体１０ａの裏面の２つの領域のうち図３における左側の領域に、未印刷画像データのうち前から２枚目の画像の縮小画像を記録媒体１０ａの裏面の２つの領域のうち図３における右側の領域に、それぞれプリンター１４によって印刷する。
【００８９】
次いで、印刷制御手段３１は、未印刷画像データのうちＳ１５４において印刷した先頭の２枚分の画像を削除する（Ｓ１５５）。
【００９０】
次いで、印刷制御手段３１は、変数Ｎを２減算する（Ｓ１５６）。
【００９１】
印刷制御手段３１は、現在選択中の印刷方法が片面印刷であるとＳ１４９において判断するか、Ｓ１５３またはＳ１５６の処理を実行すると、Ｓ１４１においてプリンター１４に取り込んだ記録媒体１０ａをプリンター１４によって排紙トレイ１５に排出して（Ｓ１５７）、図６に示す処理を終了する。
【００９２】
図７は、図４に示す明示有節約片面通常印刷処理のフローチャートである。
【００９３】
図７に示すように、印刷制御手段３１は、図５に示すＳ１３１、Ｓ１３２と同様のＳ１６１、Ｓ１６２を実行する。
【００９４】
次いで、印刷制御手段３１は、プリンター１４への記録媒体１０ａの供給元として２／４媒体用の給紙カセット１３ｃを選択する（Ｓ１６３）。
【００９５】
次いで、印刷制御手段３１は、記録媒体１０ａへの印刷方法として両面印刷を選択する（Ｓ１６４）。
【００９６】
次いで、印刷制御手段３１は、図５に示すＳ１３５と同様のＳ１６５を実行する。
【００９７】
印刷制御手段３１は、変数Ｎが０より大きいとＳ１６５において判断すると、未印刷画像データのうち先頭の画像の直後に１枚分の不要部分画像を追加する（Ｓ１６６）。ここで、不要部分画像とは、記録媒体１０ａのうち不要な部分であることを示す画像であって、例えば、取り消し線の画像、ハーフトーンの画像、ベタ塗りの画像などである。
【００９８】
次いで、印刷制御手段３１は、図５に示すＳ１３６と同様のＳ１６７を実行する。
【００９９】
次いで、印刷制御手段３１は、変数Ｎを１加算する（Ｓ１６８）。
【０１００】
次いで、制御部３０の環境貢献度管理手段３２は、記憶部２０上の貢献度２１を２加算する（Ｓ１６９）。
【０１０１】
次いで、印刷制御手段３１は、Ｓ１６５の処理に戻る。
【０１０２】
印刷制御手段３１は、変数Ｎが０以下であるとＳ１６５において判断すると、図７に示す処理を終了する。
【０１０３】
図８は、図４に示す明示無節約片面通常印刷処理のフローチャートである。
【０１０４】
図８に示すように、印刷制御手段３１は、図７に示すＳ１６１〜Ｓ１６３と同様のＳ１８１〜Ｓ１８３を実行する。
【０１０５】
次いで、印刷制御手段３１は、記録媒体１０ａへの印刷方法として片面印刷を選択する（Ｓ１８４）。
【０１０６】
次いで、印刷制御手段３１は、図７に示すＳ１６５と同様のＳ１８５を実行する。
【０１０７】
印刷制御手段３１は、変数Ｎが０より大きいとＳ１８５において判断すると、図７に示すＳ１６７と同様のＳ１８６を実行する。
【０１０８】
次いで、制御部３０の環境貢献度管理手段３２は、図７に示すＳ１６９と同様のＳ１８７を実行する。
【０１０９】
次いで、印刷制御手段３１は、Ｓ１８５の処理に戻る。
【０１１０】
印刷制御手段３１は、変数Ｎが０以下であるとＳ１８５において判断すると、図８に示す処理を終了する。
【０１１１】
図９は、図４に示す両面通常印刷処理のフローチャートである。
【０１１２】
図９に示すように、印刷制御手段３１は、図５に示すＳ１３１と同様のＳ２０１を実行する。
【０１１３】
次いで、印刷制御手段３１は、印刷データに基づいた画像の全枚数を２で割った余りを変数Ｐに代入する（Ｓ２０２）。
【０１１４】
次いで、印刷制御手段３１は、印刷データに基づいた画像の全枚数から変数Ｐの値を減じた数値を変数Ｎに代入する（Ｓ２０３）。
【０１１５】
次いで、印刷制御手段３１は、図５に示すＳ１３３と同様のＳ２０４を実行する。
【０１１６】
次いで、印刷制御手段３１は、記録媒体１０ａへの印刷方法として両面印刷を選択する（Ｓ２０５）。
【０１１７】
次いで、印刷制御手段３１は、図５に示すＳ１３５、Ｓ１３６と同様のＳ２０６、Ｓ２０７を実行する。
【０１１８】
次いで、制御部３０の環境貢献度管理手段３２は、変数Ｎが０以上であるか否かを判断する（Ｓ２０８）。
【０１１９】
環境貢献度管理手段３２は、変数Ｎが０以上であるとＳ２０８において判断すると、記憶部２０上の貢献度２１を１加算する（Ｓ２０９）。
【０１２０】
印刷制御手段３１は、変数Ｎが０未満であるとＳ２０８において判断されるか、Ｓ２０９の処理が実行されると、Ｓ２０６の処理に戻る。
【０１２１】
印刷制御手段３１は、変数Ｎが０以下であるとＳ２０６において判断すると、変数Ｐが０であるか否かを判断する（Ｓ２１０）。
【０１２２】
印刷制御手段３１は、変数Ｐが０ではないとＳ２１０において判断すると、記録媒体１０ａへの印刷方法として片面印刷を選択する（Ｓ２１１）。
【０１２３】
次いで、印刷制御手段３１は、変数Ｎに０．５を代入する（Ｓ２１２）。
【０１２４】
次いで、印刷制御手段３１は、変数Ｐに０を代入する（Ｓ２１３）。
【０１２５】
次いで、印刷制御手段３１は、Ｓ２０６の処理に戻る。
【０１２６】
印刷制御手段３１は、変数Ｐが０であるとＳ２１０において判断すると、図９に示す処理を終了する。
【０１２７】
図１０は、図４に示す明示有節約両面通常印刷処理のフローチャートである。
【０１２８】
図１０に示すように、印刷制御手段３１は、図９に示すＳ２０１〜Ｓ２０７と同様のＳ２３１〜Ｓ２３７を実行する。
【０１２９】
次いで、制御部３０の環境貢献度管理手段３２は、図９に示すＳ２０８、Ｓ２０９と同様のＳ２３８、Ｓ２３９を実行する。
【０１３０】
環境貢献度管理手段３２は、変数Ｎが０未満であるとＳ２３８において判断すると、記憶部２０上の貢献度２１を２加算する（Ｓ２４０）。
【０１３１】
印刷制御手段３１は、Ｓ２３９またはＳ２４０が実行されると、Ｓ２３６の処理に戻る。
【０１３２】
印刷制御手段３１は、変数Ｎが０以下であるとＳ２３６において判断すると、図９に示すＳ２１０と同様のＳ２４１を実行する。
【０１３３】
印刷制御手段３１は、変数Ｐが０ではないとＳ２４１において判断すると、未印刷画像データの最後に１枚分の不要部分画像を追加する（Ｓ２４２）。
【０１３４】
次いで、印刷制御手段３１は、プリンター１４への記録媒体１０ａの供給元として２／４媒体用の給紙カセット１３ｃを選択する（Ｓ２４３）。
【０１３５】
次いで、印刷制御手段３１は、図９に示すＳ２１２、Ｓ２１３と同様のＳ２４４、Ｓ２４５を実行する。
【０１３６】
次いで、印刷制御手段３１は、Ｓ２３６の処理に戻る。
【０１３７】
印刷制御手段３１は、変数Ｐが０であるとＳ２４１において判断すると、図１０に示す処理を終了する。
【０１３８】
図１１は、図４に示す明示無節約両面通常印刷処理のフローチャートである。
【０１３９】
図１１に示すように、印刷制御手段３１は、図１０に示すＳ２３１〜Ｓ２３７と同様のＳ２６１〜Ｓ２６７を実行する。
【０１４０】
次いで、制御部３０の環境貢献度管理手段３２は、図１０に示すＳ２３８〜Ｓ２４０と同様のＳ２６８〜Ｓ２７０を実行する。
【０１４１】
印刷制御手段３１は、Ｓ２６９またはＳ２７０が実行されると、Ｓ２６６の処理に戻る。
【０１４２】
印刷制御手段３１は、変数Ｎが０以下であるとＳ２６６において判断すると、図１０に示すＳ２４１と同様のＳ２７１を実行する。
【０１４３】
印刷制御手段３１は、変数Ｐが０ではないとＳ２７１において判断すると、記録媒体１０ａへの印刷方法として片面印刷を選択する（Ｓ２７２）。
【０１４４】
次いで、印刷制御手段３１は、図１０に示すＳ２４３〜Ｓ２４５と同様のＳ２７３〜Ｓ２７５を実行する。
【０１４５】
次いで、印刷制御手段３１は、Ｓ２６６の処理に戻る。
【０１４６】
印刷制御手段３１は、変数Ｐが０であるとＳ２７１において判断すると、図１１に示す処理を終了する。
【０１４７】
図１２は、図４に示す片面集約印刷処理のフローチャートである。
【０１４８】
図１２に示すように、印刷制御手段３１は、図９に示すＳ２０１〜Ｓ２０４と同様のＳ３０１〜Ｓ３０４を実行する。
【０１４９】
次いで、印刷制御手段３１は、記録媒体１０ａへの印刷方法として片面印刷を選択する（Ｓ３０５）。
【０１５０】
次いで、印刷制御手段３１は、図９に示すＳ２０６、Ｓ２０７と同様のＳ３０６、Ｓ３０７を実行する。
【０１５１】
次いで、制御部３０の環境貢献度管理手段３２は、図９に示すＳ２０８、Ｓ２０９と同様のＳ３０８、Ｓ３０９を実行する。
【０１５２】
印刷制御手段３１は、変数Ｎが０未満であるとＳ３０８において判断されるか、Ｓ３０９の処理が実行されると、Ｓ３０６の処理に戻る。
【０１５３】
印刷制御手段３１は、変数Ｎが０以下であるとＳ３０６において判断すると、図９に示すＳ２１０と同様のＳ３１０を実行する。
【０１５４】
印刷制御手段３１は、変数Ｐが０ではないとＳ３１０において判断すると、未印刷画像データの最後に１枚分の空白の画像を追加する（Ｓ３１１）。
【０１５５】
次いで、印刷制御手段３１は、図９に示すＳ２１２、Ｓ２１３と同様のＳ３１２、Ｓ３１３を実行する。
【０１５６】
次いで、印刷制御手段３１は、Ｓ３０６の処理に戻る。
【０１５７】
印刷制御手段３１は、変数Ｐが０であるとＳ３１０において判断すると、図１２に示す処理を終了する。
【０１５８】
図１３は、図４に示す明示有節約片面集約印刷処理のフローチャートである。
【０１５９】
図１３に示すように、印刷制御手段３１は、図１２に示すＳ３０１〜Ｓ３０３と同様のＳ３３１〜Ｓ３３３を実行する。
【０１６０】
次いで、印刷制御手段３１は、プリンター１４への記録媒体１０ａの供給元として２／４媒体用の給紙カセット１３ｃを選択する（Ｓ３３４）。
【０１６１】
次いで、印刷制御手段３１は、記録媒体１０ａへの印刷方法として両面印刷を選択する（Ｓ３３５）。
【０１６２】
次いで、印刷制御手段３１は、図１２に示すＳ３０６と同様のＳ３３６を実行する。
【０１６３】
印刷制御手段３１は、変数Ｎが０より大きいとＳ３３６において判断すると、未印刷画像データのうち前から２枚目の画像の直後に２枚分の不要部分画像を追加する（Ｓ３３７）。
【０１６４】
次いで、印刷制御手段３１は、図１２に示すＳ３０７と同様のＳ３３８を実行する。
【０１６５】
次いで、印刷制御手段３１は、変数Ｎを２加算する（Ｓ３３９）。
【０１６６】
次いで、制御部３０の環境貢献度管理手段３２は、図１２に示すＳ３０８と同様のＳ３４０を実行する。
【０１６７】
環境貢献度管理手段３２は、変数Ｎが０以上であるとＳ３４０において判断すると、記憶部２０上の貢献度２１を３加算する（Ｓ３４１）。
【０１６８】
環境貢献度管理手段３２は、変数Ｎが０未満であるとＳ３４０において判断すると、記憶部２０上の貢献度２１を４加算する（Ｓ３４２）。
【０１６９】
印刷制御手段３１は、Ｓ３４１またはＳ３４２が実行されると、Ｓ３３６の処理に戻る。
【０１７０】
印刷制御手段３１は、変数Ｎが０以下であるとＳ３３６において判断すると、図１２に示すＳ３１０と同様のＳ３４３を実行する。
【０１７１】
印刷制御手段３１は、変数Ｐが０ではないとＳ３４３において判断すると、未印刷画像データの最後に１枚分の不要部分画像を追加する（Ｓ３４４）。
【０１７２】
次いで、印刷制御手段３１は、プリンター１４への記録媒体１０ａの供給元として１／４媒体用の給紙カセット１３ｄを選択する（Ｓ３４５）。
【０１７３】
次いで、印刷制御手段３１は、図１２に示すＳ３１２、Ｓ３１３と同様のＳ３４６、Ｓ３４７を実行する。
【０１７４】
次いで、印刷制御手段３１は、Ｓ３３６の処理に戻る。
【０１７５】
印刷制御手段３１は、変数Ｐが０であるとＳ３４３において判断すると、図１３に示す処理を終了する。
【０１７６】
図１４は、図４に示す明示無節約片面集約印刷処理のフローチャートである。
【０１７７】
図１４に示すように、印刷制御手段３１は、図１３に示すＳ３３１〜Ｓ３３４と同様のＳ３６１〜Ｓ３６４を実行する。
【０１７８】
次いで、印刷制御手段３１は、記録媒体１０ａへの印刷方法として片面印刷を選択する（Ｓ３６５）。
【０１７９】
次いで、印刷制御手段３１は、図１３に示すＳ３３６と同様のＳ３６６を実行する。
【０１８０】
印刷制御手段３１は、変数Ｎが０より大きいとＳ３６６において判断すると、図１３に示すＳ３３８と同様のＳ３６７を実行する。
【０１８１】
次いで、制御部３０の環境貢献度管理手段３２は、図１３に示すＳ３４０〜Ｓ３４２と同様のＳ３６８〜Ｓ３７０を実行する。
【０１８２】
印刷制御手段３１は、Ｓ３６９またはＳ３７０が実行されると、Ｓ３６６の処理に戻る。
【０１８３】
印刷制御手段３１は、変数Ｎが０以下であるとＳ３６６において判断すると、図１３に示すＳ３４３と同様のＳ３７１を実行する。
【０１８４】
印刷制御手段３１は、変数Ｐが０ではないとＳ３７１において判断すると、未印刷画像データの最後に１枚分の空白の画像を追加する（Ｓ３７２）。
【０１８５】
次いで、印刷制御手段３１は、図１３に示すＳ３４５〜Ｓ３４７と同様のＳ３７３〜Ｓ３７５を実行する。
【０１８６】
次いで、印刷制御手段３１は、Ｓ３６６の処理に戻る。
【０１８７】
印刷制御手段３１は、変数Ｐが０であるとＳ３７１において判断すると、図１４に示す処理を終了する。
【０１８８】
図１５は、図４に示す両面集約印刷処理のフローチャートである。
【０１８９】
図１５に示すように、印刷制御手段３１は、図１２に示すＳ３０１と同様のＳ４０１を実行する。
【０１９０】
次いで、印刷制御手段３１は、印刷データに基づいた画像の枚数を４で割った余りを変数Ｐに代入する（Ｓ４０２）。
【０１９１】
次いで、印刷制御手段３１は、図１２に示すＳ３０３、Ｓ３０４と同様のＳ４０３、Ｓ４０４を実行する。
【０１９２】
次いで、印刷制御手段３１は、記録媒体１０ａへの印刷方法として両面印刷を選択する（Ｓ４０５）。
【０１９３】
次いで、印刷制御手段３１は、図１２に示すＳ３０６、Ｓ３０７と同様のＳ４０６、Ｓ４０７を実行する。
【０１９４】
次いで、制御部３０の環境貢献度管理手段３２は、図１２に示すＳ３０８と同様のＳ４０８を実行する。
【０１９５】
環境貢献度管理手段３２は、変数Ｎが０以上であるとＳ４０８において判断すると、記憶部２０上の貢献度２１を３加算する（Ｓ４０９）。
【０１９６】
環境貢献度管理手段３２は、変数Ｎが０未満であるとＳ４０８において判断すると、変数Ｎを確認する（Ｓ４１０）。
【０１９７】
環境貢献度管理手段３２は、変数Ｎが−１であるとＳ４１０において判断すると、記憶部２０上の貢献度２１を１加算する（Ｓ４１１）。
【０１９８】
環境貢献度管理手段３２は、変数Ｎが−２．５であるとＳ４１０において判断すると、記憶部２０上の貢献度２１を２加算する（Ｓ４１２）。
【０１９９】
印刷制御手段３１は、変数Ｎが−１．５であるとＳ４１０において判断されるか、Ｓ４０９、Ｓ４１１またはＳ４１２が実行されると、Ｓ４０６の処理に戻る。
【０２００】
印刷制御手段３１は、変数Ｎが０以下であるとＳ４０６において判断すると、図１２に示すＳ３１０と同様のＳ４１３を実行する。
【０２０１】
印刷制御手段３１は、変数Ｐが０ではないとＳ４１３において判断すると、変数Ｐを確認する（Ｓ４１４）。
【０２０２】
印刷制御手段３１は、変数Ｐが１であるとＳ４１４において判断すると、未印刷画像データの最後に１枚分の空白の画像を追加する（Ｓ４１５）。
【０２０３】
印刷制御手段３１は、変数Ｐが２であるとＳ４１４において判断するか、Ｓ４１５を実行すると、記録媒体１０ａへの印刷方法として片面印刷を選択する（Ｓ４１６）。
【０２０４】
印刷制御手段３１は、変数Ｐが３であるとＳ４１４において判断すると、未印刷画像データの最後に１枚分の空白の画像を追加する（Ｓ４１７）。
【０２０５】
印刷制御手段３１は、Ｓ４１６またはＳ４１７を実行すると、変数Ｐの値を２で割った値を変数Ｎに代入する（Ｓ４１８）。
【０２０６】
次いで、印刷制御手段３１は、図１２に示すＳ３１３と同様のＳ４１９を実行する。
【０２０７】
次いで、印刷制御手段３１は、Ｓ４０６の処理に戻る。
【０２０８】
印刷制御手段３１は、変数Ｐが０であるとＳ４１３において判断すると、図１５に示す処理を終了する。
【０２０９】
図１６は、図４に示す明示有節約両面集約印刷処理のフローチャートである。
【０２１０】
図１６に示すように、印刷制御手段３１は、図１５に示すＳ４０１〜Ｓ４０７と同様のＳ４３１〜Ｓ４３７を実行する。
【０２１１】
次いで、制御部３０の環境貢献度管理手段３２は、図１５に示すＳ４０８〜Ｓ４１０と同様のＳ４３８〜Ｓ４４０を実行する。
【０２１２】
環境貢献度管理手段３２は、変数Ｎが−３であるとＳ４４０において判断すると、記憶部２０上の貢献度２１を４加算する（Ｓ４４１）。
【０２１３】
環境貢献度管理手段３２は、変数Ｎが−２であるとＳ４４０において判断すると、記憶部２０上の貢献度２１を３加算する（Ｓ４４２）。
【０２１４】
環境貢献度管理手段３２は、変数Ｎが−１であるとＳ４４０において判断すると、記憶部２０上の貢献度２１を５加算する（Ｓ４４３）。
【０２１５】
印刷制御手段３１は、Ｓ４３９、Ｓ４４１、Ｓ４４２またはＳ４４３の後、Ｓ４３６の処理に戻る。
【０２１６】
印刷制御手段３１は、変数Ｎが０以下であるとＳ４３６において判断すると、図１５に示すＳ４１３、Ｓ４１４と同様のＳ４４４、Ｓ４４５を実行する。
【０２１７】
印刷制御手段３１は、変数Ｐが１であるとＳ４４５において判断すると、未印刷画像データの最後に３枚分の不要部分画像を追加する（Ｓ４４６）。
【０２１８】
次いで、印刷制御手段３１は、プリンター１４への記録媒体１０ａの供給元として１／４媒体用の給紙カセット１３ｄを選択する（Ｓ４４７）。
【０２１９】
印刷制御手段３１は、変数Ｐが２であるとＳ４４５において判断すると、未印刷画像データの最後に２枚分の不要部分画像を追加する（Ｓ４４８）。
【０２２０】
次いで、印刷制御手段３１は、プリンター１４への記録媒体１０ａの供給元として２／４媒体用の給紙カセット１３ｃを選択する（Ｓ４４９）。
【０２２１】
印刷制御手段３１は、変数Ｐが３であるとＳ４４５において判断すると、未印刷画像データの最後に１枚分の不要部分画像を追加する（Ｓ４５０）。
【０２２２】
次いで、印刷制御手段３１は、プリンター１４への記録媒体１０ａの供給元として３／４媒体用の給紙カセット１３ｂを選択する（Ｓ４５１）。
【０２２３】
印刷制御手段３１は、Ｓ４４７、Ｓ４４９またはＳ４５１を実行すると、変数Ｐの値を変数Ｎに代入する（Ｓ４５２）。
【０２２４】
次いで、印刷制御手段３１は、図１５に示すＳ４１９と同様のＳ４５３を実行する。
【０２２５】
次いで、印刷制御手段３１は、Ｓ４３６の処理に戻る。
【０２２６】
印刷制御手段３１は、変数Ｐが０であるとＳ４４４において判断すると、図１６に示す処理を終了する。
【０２２７】
図１７は、図４に示す明示無節約両面集約印刷処理のフローチャートである。
【０２２８】
図１７に示すように、印刷制御手段３１は、図１５に示すＳ４０１〜Ｓ４０７と同様のＳ４６１〜Ｓ４６７を実行する。
【０２２９】
次いで、制御部３０の環境貢献度管理手段３２は、図１５に示すＳ４０８〜Ｓ４１０と同様のＳ４６８〜Ｓ４７０を実行する。
【０２３０】
環境貢献度管理手段３２は、変数Ｎが−１．５であるとＳ４７０において判断すると、記憶部２０上の貢献度２１を４加算する（Ｓ４７１）。
【０２３１】
環境貢献度管理手段３２は、変数Ｎが−１であるとＳ４７０において判断すると、記憶部２０上の貢献度２１を３加算する（Ｓ４７２）。
【０２３２】
環境貢献度管理手段３２は、変数Ｎが−２．５であるとＳ４７０において判断すると、記憶部２０上の貢献度２１を５加算する（Ｓ４７３）。
【０２３３】
印刷制御手段３１は、Ｓ４６９、Ｓ４７１、Ｓ４７２またはＳ４７３が実行されると、Ｓ４６６の処理に戻る。
【０２３４】
印刷制御手段３１は、変数Ｎが０以下であるとＳ４６６において判断すると、図１５に示すＳ４１３〜Ｓ４１５と同様のＳ４７４〜Ｓ４７６を実行する。
【０２３５】
次いで、印刷制御手段３１は、プリンター１４への記録媒体１０ａの供給元として１／４媒体用の給紙カセット１３ｄを選択する（Ｓ４７７）。
【０２３６】
印刷制御手段３１は、変数Ｐが２であるとＳ４７５において判断すると、プリンター１４への記録媒体１０ａの供給元として２／４媒体用の給紙カセット１３ｃを選択する（Ｓ４７８）。
【０２３７】
印刷制御手段３１は、Ｓ４７７またはＳ４７８を実行すると、図１５に示すＳ４１６と同様のＳ４７９を実行する。
【０２３８】
印刷制御手段３１は、変数Ｐが３であるとＳ４７５において判断すると、図１５に示すＳ４１７と同様のＳ４８０を実行する。
【０２３９】
次いで、印刷制御手段３１は、プリンター１４への記録媒体１０ａの供給元として３／４媒体用の給紙カセット１３ｂを選択する（Ｓ４８１）。
【０２４０】
印刷制御手段３１は、Ｓ４７９またはＳ４８１を実行すると、図１５に示すＳ４１８、Ｓ４１９と同様のＳ４８２、Ｓ４８３を実行する。
【０２４１】
次いで、印刷制御手段３１は、Ｓ４６６の処理に戻る。
【０２４２】
印刷制御手段３１は、変数Ｐが０であるとＳ４７４において判断すると、図１７に示す処理を終了する。
【０２４３】
以上に説明したように、ＭＦＰ１０は、節約印刷を実行するか否かを、記憶部２０上の節約印刷設定２２の内容によって切り替えることができる。制御部３０は、操作部１１またはネットワーク通信部１８を介した利用者の指示に応じて、節約印刷設定２２の内容を変更することができる。節約印刷設定２２の内容の変更は、例えば節約印刷設定２２の内容の変更の指示が操作部１１を介して予め入力されるなどして、印刷データが制御部３０に入力される時期とは無関係に実行されるようになっていても良いし、例えば節約印刷設定２２の内容の変更の指示が含まれた印刷データがネットワーク通信部１８によって受信されるなどして、印刷データが制御部３０に入力される時期と同時期に実行されるようになっていても良い。
【０２４４】
また、ＭＦＰ１０は、節約印刷を実行する場合に記録媒体１０ａのうち不要な部分を明示するか否かを、記憶部２０上の不要部分明示設定２３の内容によって切り替えることができる。制御部３０は、操作部１１またはネットワーク通信部１８を介した利用者の指示に応じて、不要部分明示設定２３の内容を変更することができる。不要部分明示設定２３の内容の変更は、例えば不要部分明示設定２３の内容の変更の指示が操作部１１を介して予め入力されるなどして、印刷データが制御部３０に入力される時期とは無関係に実行されるようになっていても良いし、例えば不要部分明示設定２３の内容の変更の指示が含まれた印刷データがネットワーク通信部１８によって受信されるなどして、印刷データが制御部３０に入力される時期と同時期に実行されるようになっていても良い。
【０２４５】
また、ＭＦＰ１０の制御部３０の環境貢献度表示手段３３は、例えば操作部１１を介した利用者の指示に応じて、記憶部２０上の貢献度２１を表示部１２に表示させることができる。
【０２４６】
以上に説明したように、ＭＦＰ１０は、集約印刷が指定された印刷データに基づいた印刷である明示有節約片面集約印刷処理（Ｓ１１７）をプリンター１４に実行させる場合、この印刷データに基づいた未印刷の画像の枚数（以下「未印刷画像枚数」と言う。）に応じた（Ｓ３４３）給紙カセット１３ｃ、１３ｄから記録媒体１０ａをプリンター１４に取得させ（Ｓ３３４、Ｓ３４５）、この記録媒体１０ａの未印刷の領域に未印刷の画像の縮小画像をプリンター１４に印刷させる（Ｓ１４６）。また、ＭＦＰ１０は、集約印刷が指定された印刷データに基づいた印刷である明示無節約片面集約印刷処理（Ｓ１１８）をプリンター１４に実行させる場合、未印刷画像枚数に応じた（Ｓ３７１）給紙カセット１３ｃ、１３ｄから記録媒体１０ａをプリンター１４に取得させ（Ｓ３６４、Ｓ３７３）、この記録媒体１０ａの未印刷の領域に未印刷の画像の縮小画像をプリンター１４に印刷させる（Ｓ１４６）。また、ＭＦＰ１０は、集約印刷が指定された印刷データに基づいた印刷である明示有節約両面集約印刷処理（Ｓ１２２）をプリンター１４に実行させる場合、未印刷画像枚数に応じた（Ｓ４４４、Ｓ４４５）給紙カセット１３ａ〜１３ｄから記録媒体１０ａをプリンター１４に取得させ（Ｓ４３４、Ｓ４４７、Ｓ４４９、Ｓ４５１）、この記録媒体１０ａの未印刷の領域に未印刷の画像の縮小画像をプリンター１４に印刷させる（Ｓ１４６、Ｓ１５４）。また、ＭＦＰ１０は、集約印刷が指定された印刷データに基づいた印刷である明示無節約両面集約印刷処理（Ｓ１２３）をプリンター１４に実行させる場合、未印刷画像枚数に応じた（Ｓ４７４、Ｓ４７５）給紙カセット１３ａ〜１３ｄから記録媒体１０ａをプリンター１４に取得させ（Ｓ４６４、Ｓ４７７、Ｓ４７８、Ｓ４８１）、この記録媒体１０ａの未印刷の領域に未印刷の画像の縮小画像をプリンター１４に印刷させる（Ｓ１４６、Ｓ１５４）。
【０２４７】
ここで、未印刷画像枚数に応じた給紙カセットは、未印刷画像枚数が記録媒体１０ａにおける全ての領域の数である４より少なく記録媒体１０ａの１面における全ての領域の数である２と異なる場合、すなわち、未印刷画像枚数が３である場合（Ｓ４４５で３、Ｓ４７５で３）、未印刷の領域の数が未印刷画像枚数と同じであるパターンに対応する給紙カセット１３ｂである（Ｓ４５１、Ｓ４８１）。また、未印刷画像枚数に応じた給紙カセットは、未印刷画像枚数が記録媒体１０ａにおける全ての領域の数である４より少なく記録媒体１０ａの１面における全ての領域の数である２と異なる場合、すなわち、未印刷画像枚数が１である場合（Ｓ３４３でＮＯ、Ｓ３７１でＮＯ、Ｓ４４５で１、Ｓ４７５で１）、未印刷の領域の数が未印刷画像枚数と同じであるパターンに対応する給紙カセット１３ｄである（Ｓ３４５、Ｓ３７３、Ｓ４４７、Ｓ４７７）。したがって、ＭＦＰ１０は、集約印刷が指定された印刷データに基づいた印刷を実行する場合、未印刷画像枚数に応じて、記録媒体１０ａのうち一部の領域が未印刷である印刷済みの面（１／４媒体の場合には図３に示す表面、３／４媒体の場合には図３に示す裏面）の未印刷の領域（１／４媒体の場合には図３に示す表面の左側の領域、３／４媒体の場合には図３に示す裏面の左側の領域）に縮小画像を印刷することができるので、記録媒体１０ａの節約の効率を従来より向上することができる。
【０２４８】
特に、未印刷画像枚数に応じた給紙カセットは、集約印刷および両面印刷の両方が指定された印刷データに基づいた印刷である明示有節約両面集約印刷処理（Ｓ１２２）、明示無節約両面集約印刷処理（Ｓ１２３）を印刷制御手段３１がプリンター１４に実行させる場合、未印刷画像枚数が記録媒体１０ａの両面における全ての領域の数である４より少なく記録媒体１０ａの１面における全ての領域の数である２と異なる場合、すなわち、未印刷画像枚数が３である場合（Ｓ４４５で３、Ｓ４７５で３）、未印刷の領域の数が未印刷画像枚数と同じであるパターンに対応する給紙カセット１３ｂである（Ｓ４５１、Ｓ４８１）。また、未印刷画像枚数に応じた給紙カセットは、集約印刷および両面印刷の両方が指定された印刷データに基づいた印刷である明示有節約両面集約印刷処理（Ｓ１２２）、明示無節約両面集約印刷処理（Ｓ１２３）を印刷制御手段３１がプリンター１４に実行させる場合、未印刷画像枚数が記録媒体１０ａ両面における全ての領域の数である４より少なく記録媒体１０ａの１面における全ての領域の数である２と異なる場合、すなわち、未印刷画像枚数が１である場合（Ｓ４４５で１、Ｓ４７５で１）、未印刷の領域の数が未印刷画像枚数と同じであるパターンに対応する給紙カセット１３ｄである（Ｓ４４７、Ｓ４７７）。したがって、ＭＦＰ１０は、集約印刷および両面印刷の両方が指定された印刷データに基づいた印刷を実行する場合、表面の一部の領域が未印刷である記録媒体１０ａである１／４媒体の表面の未印刷の領域に縮小画像を印刷することができるだけでなく、表面の全ての領域および裏面の一部の領域が未印刷である記録媒体１０ａである３／４媒体の全ての未印刷の領域に縮小画像を印刷することができるので、記録媒体１０ａの節約の効率を更に向上することができる。
【０２４９】
図１８は、不要部分画像が印刷された記録媒体１０ａを示す図である。
【０２５０】
図１８に示すように、ＭＦＰ１０は、記録媒体１０ａに未印刷の画像の縮小画像をプリンター１４に印刷させる場合、記録媒体１０ａにおけるこの縮小画像が印刷される面のうちこの縮小画像が印刷されない領域に、不要部分画像９１、９３をプリンター１４に印刷させる（Ｓ３４４、Ｓ４４６、Ｓ４５０）。これによって、ＭＦＰ１０は、記録媒体１０ａにおける縮小画像が印刷される面において、縮小画像が印刷されない領域を不要な部分として明示することができるので、ＭＦＰ１０は、印刷した縮小画像を利用者に容易に認識させることができる。
【０２５１】
また、ＭＦＰ１０の印刷制御手段は、記録媒体１０ａに未印刷の画像の縮小画像をプリンター１４に印刷させる場合、記録媒体１０ａにおけるこの縮小画像が印刷されない面に、不要部分画像９２、９４をプリンター１４に印刷させる（Ｓ３３７、Ｓ４４６、Ｓ４４８）。これによって、ＭＦＰ１０は、記録媒体１０ａにおける縮小画像が印刷されない面を不要な部分として明示することができるので、縮小画像を印刷した面を利用者に容易に認識させることができる。
【０２５２】
以下、貢献度２１について説明する。
【０２５３】
２枚の画像の４／４媒体の片面への２ＵＰ集約印刷は、これらの画像が集約無しで４／４媒体の片面に印刷される場合と比較して、４／４媒体の消費を１枚分抑えることができる。したがって、ＭＦＰ１０は、２枚の画像の４／４媒体の片面への２ＵＰ集約印刷の場合、４／４媒体の消費を抑えた分の値“１”だけ貢献度２１を向上させる（Ｓ３０９、Ｓ４１１）。
【０２５４】
２枚の画像の集約無しでの４／４媒体の両面への印刷は、これらの画像が集約無しで４／４媒体の片面に印刷される場合と比較して、４／４媒体の消費を１枚分抑えることができる。したがって、ＭＦＰ１０は、２枚の画像の集約無しでの４／４媒体の両面への印刷の場合、４／４媒体の消費を抑えた分の値“１”だけ貢献度２１を向上させる（Ｓ２０９、Ｓ２３９、Ｓ２６９）。
【０２５５】
３枚の画像のみの４／４媒体の両面への２ＵＰ集約印刷は、これらの画像が集約無しで４／４媒体の片面に印刷される場合と比較して、４／４媒体の消費を２枚分抑えることができる。したがって、ＭＦＰ１０は、３枚の画像のみの４／４媒体の両面への２ＵＰ集約印刷の場合、４／４媒体の消費を抑えた分の値“２”だけ貢献度２１を向上させる（Ｓ４１２）。
【０２５６】
４枚の画像の４／４媒体の両面への２ＵＰ集約印刷は、これらの画像が集約無しで４／４媒体の片面に印刷される場合と比較して、４／４媒体の消費を３枚分抑えることができる。したがって、ＭＦＰ１０は、４枚の画像の４／４媒体の両面への２ＵＰ集約印刷の場合、４／４媒体の消費を抑えた分の値“３”だけ貢献度２１を向上させる（Ｓ４０９、Ｓ４３９、Ｓ４６９）。
【０２５７】
１枚の画像の集約無しでの２／４媒体の片面への印刷は、この画像が集約無しで４／４媒体の片面に印刷される場合と比較して、４／４媒体の消費を１枚分抑えることができる。更に、１枚の画像の集約無しでの２／４媒体の片面への印刷は、２／４媒体の再利用になっている。したがって、ＭＦＰ１０は、１枚の画像の集約無しでの２／４媒体の片面への印刷の場合、４／４媒体の消費を抑えた分の値“１”と、２／４媒体の再利用の分の値“１”との合計である“２”だけ貢献度２１を向上させる（Ｓ１６９、Ｓ１８７、Ｓ２４０、Ｓ２７０）。
【０２５８】
２枚の画像の２／４媒体の片面への２ＵＰ集約印刷は、これらの画像が集約無しで４／４媒体の片面に印刷される場合と比較して、４／４媒体の消費を２枚分抑えることができる。更に、２枚の画像の２／４媒体の片面への２ＵＰ集約印刷は、２／４媒体の再利用になっている。したがって、ＭＦＰ１０は、２枚の画像の２／４媒体の片面への２ＵＰ集約印刷の場合、４／４媒体の消費を抑えた分の値“２”と、２／４媒体の再利用の分の値“１”との合計である“３”だけ貢献度２１を向上させる（Ｓ３４１、Ｓ３６９、Ｓ４４２、Ｓ４７２）。
【０２５９】
１枚の画像のみの１／４媒体の片面への２ＵＰ集約印刷は、この画像が集約無しで４／４媒体の片面に印刷される場合と比較して、４／４媒体の消費を１枚分抑えることができる。更に、１枚の画像のみの１／４媒体の片面への２ＵＰ集約印刷は、１／４媒体の再利用になっている。したがって、ＭＦＰ１０は、１枚の画像のみの１／４媒体の片面への２ＵＰ集約印刷の場合、４／４媒体の消費を抑えた分の値“１”と、１／４媒体の再利用の分の値“３”との合計である“４”だけ貢献度２１を向上させる（Ｓ３４２、Ｓ３７０、Ｓ４４１、Ｓ４７１）。なお、１／４媒体は、従来再利用されることが困難であった。したがって、１／４媒体の再利用に関する貢献度２１の増加分は、従来から再利用されている２／４媒体の再利用に関する貢献度２１の増加分より大きく設定されている。
【０２６０】
３枚の画像のみの３／４媒体の両面への２ＵＰ集約印刷は、これらの画像が集約無しで４／４媒体の片面に印刷される場合と比較して、４／４媒体の消費を３枚分抑えることができる。更に、３枚の画像のみの３／４媒体の両面への２ＵＰ集約印刷は、３／４媒体の再利用になっている。したがって、ＭＦＰ１０は、３枚の画像のみの３／４媒体の両面への２ＵＰ集約印刷の場合、４／４媒体の消費を抑えた分の値“３”と、３／４媒体の再利用の分の値“２”との合計である“５”だけ貢献度２１を向上させる（Ｓ４４３、Ｓ４７３）。なお、３／４媒体は、図３に示す裏面が再利用されることが従来困難であった。したがって、３／４媒体の再利用に関する貢献度２１の増加分は、従来から再利用されている２／４媒体の再利用に関する貢献度２１の増加分より大きく設定されている。しかしながら、３／４媒体は、１／４媒体と異なり、２／４媒体として使用されることも可能である。したがって、３／４媒体の再利用に関する貢献度２１の増加分は、１／４媒体の再利用に関する貢献度２１の増加分より小さく設定されている。
【０２６１】
以上に説明したように、ＭＦＰ１０は、記録媒体１０ａである１／４媒体、３／４媒体の印刷済みの領域を含む面のうち未印刷の領域への未印刷の画像の縮小画像の印刷の実行に対して、貢献度２１を向上させる。したがって、ＭＦＰ１０は、記録媒体１０ａにおける印刷済みの領域を含む面のうち未印刷の領域への縮小画像の印刷によって地球環境に貢献したことを、利用者に認識させることができる。したがって、ＭＦＰ１０は、記録媒体１０ａの節約を利用者に意識させることができる。
【０２６２】
なお、上述した貢献度２１の増加分の値は、一例に過ぎない。したがって、ＭＦＰ１０は、上述した値以外の値で、貢献度２１を増加させても良い。
【０２６３】
また、ＭＦＰ１０は、そもそも貢献度２１を管理しないようになっていても良い。
【０２６４】
ＭＦＰ１０は、記録媒体１０ａの１面を均等な２つの領域に分割した場合のその領域への縮小画像の印刷である２ＵＰ集約印刷を実行するようになっているが、例えば、記録媒体１０ａの１面を均等な４つの領域に分割した場合のその領域への縮小画像の印刷である４ＵＰ集約印刷など、２ＵＰ集約印刷以外の集約印刷を実行するようになっていても良い。ただし、ＭＦＰ１０は、上述したように１面を２つの領域に分割した記録媒体１０ａの未印刷の領域のパターン毎に記録媒体１０ａを収納する複数の給紙カセットを備えている構成である場合、１面を４つの領域に分割した記録媒体１０ａの未印刷の領域のパターン毎に記録媒体１０ａを収納する複数の給紙カセットを備えている構成と比較して、給紙カセットの数が半分で済むので、小型化することができる。
【０２６５】
なお、ＭＦＰ１０は、本実施の形態において、両面印刷を実行することができる構成であるが、両面印刷を実行することができない構成であっても良い。ＭＦＰ１０は、両面印刷を実行することができない構成である場合、本実施の形態における３／４媒体を２／４媒体と区別して扱う必要がないので、３／４媒体専用の給紙カセットを備えていなくても良い。
【０２６６】
本発明の画像形成装置は、本実施の形態においてＭＦＰであるが、プリンター専用機、ファックス専用機、コピー専用機など、ＭＦＰ以外の画像形成装置であっても良い。
【符号の説明】
【０２６７】
１０  ＭＦＰ（画像形成装置）
１０ａ  記録媒体
１２  表示部
１３ａ、１３ｂ、１３ｃ、１３ｄ  給紙カセット（媒体収納部）
１４  プリンター（印刷デバイス）
２１  貢献度
３１  印刷制御手段
３２  環境貢献度管理手段
３３  環境貢献度表示手段
９１、９２、９３、９４  不要部分画像（不要な部分であることを示す画像）
【図１】
0005744710.tif 000002
【図２】
0005744710.tif 000003
【図３】
0005744710.tif 000004
【図４】
0005744710.tif 000005
【図５】
0005744710.tif 000006
【図６】
0005744710.tif 000007
【図７】
0005744710.tif 000008
【図８】
0005744710.tif 000009
【図９】
0005744710.tif 000010
【図１０】
0005744710.tif 000011
【図１１】
0005744710.tif 000012
【図１２】
0005744710.tif 000013
【図１３】
0005744710.tif 000014
【図１４】
0005744710.tif 000015
【図１５】
0005744710.tif 000016
【図１６】
0005744710.tif 000017
【図１７】
0005744710.tif 000018
【図１８】
0005744710.tif 000019